(57)【要約】【課題】垂直偏向磁界の中心位置を偏向ヨークの後端側にずらしてラスター歪みを補正する場合に、部品相互の位置的な干渉により、十分な補正量を得ることが困難であった。【解決手段】偏向ヨークの構成として水平偏向磁界を形成する水平偏向コイル２１と、垂直偏向磁界を形成する垂直偏向コイル２２と、水平偏向コイル２１が内側に巻装されたセパレータ２３と、偏向ヨークの径方向においてセパレータ２３を介して水平偏向コイル２１と隣接した状態で設けられた第１の磁性体コア２４と、偏向ヨークの中心軸方向において第１の磁性体コア２４と分離した状態で偏向ヨークの後端側に配置されるとともに、偏向ヨークの径方向において垂直偏向コイル２５と隣接した状態で設けられた第２の磁性体コア２５とを備える。【選択図】　　　　図２
2004103311.tif 000002
【特許請求の範囲】
【請求項１】
電子ビームのスポットを画面の左端から右端まで水平に走査するための水平偏向磁界を形成する水平偏向コイルと、
電子ビームのスポットを画面の上端から下端まで垂直に走査するための垂直偏向磁界を形成する垂直偏向コイルと、
前記水平偏向コイルが内側に巻装されたセパレータと、
偏向ヨークの径方向において前記セパレータを介して前記水平偏向コイルと隣接した状態で設けられた第１の磁性体コアと、
偏向ヨークの中心軸方向において前記第１の磁性体コアと分離した状態で偏向ヨークの後端側に配置されるとともに、偏向ヨークの径方向において前記垂直偏向コイルと隣接した状態で設けられた第２の磁性体コアと
を備えることを特徴とする偏向ヨーク。
【請求項２】
前記水平偏向磁界及び前記垂直偏向磁界を共にほぼ斉一な磁界分布としてなる
ことを特徴とする請求項１記載の偏向ヨーク。
【請求項３】
前記偏向ヨークの中心軸方向において前記水平偏向コイルと前記垂直偏向コイルとを互いに分離した状態で配置してなる
ことを特徴とする請求項１記載の偏向ヨーク。
【請求項４】
前記偏向ヨークの中心軸方向において前記第１の磁性体コアよりも偏向ヨークの後端側で、かつ、前記偏向ヨークの径方向において前記水平偏向コイルの外側に、前記垂直偏向コイルと前記第２の磁性体コアとを配置してなる
ことを特徴とする請求項１記載の偏向ヨーク。
【請求項５】
前記水平偏向コイをサドル形に巻線し、かつ当該水平偏向コイルの後端部をストレート状に形成してなる
ことを特徴とする請求項４記載の偏向ヨーク。
【請求項６】
電子ビームのスポットを画面の左端から右端まで水平に走査するための水平偏向磁界を形成する水平偏向コイルと、
電子ビームのスポットを画面の上端から下端まで垂直に走査するための垂直偏向磁界を形成する垂直偏向コイルと、
前記水平偏向コイルが内側に巻装されたセパレータと、
偏向ヨークの径方向において前記セパレータを介して前記水平偏向コイルと隣接した状態で設けられた第１の磁性体コアと、
偏向ヨークの中心軸方向において前記第１の磁性体コアと分離した状態で偏向ヨークの後端側に配置されるとともに、偏向ヨークの径方向において前記垂直偏向コイルと隣接した状態で設けられた第２の磁性体コアと
を備える偏向ヨークを陰極線管に搭載してなる
ことを特徴とする表示装置。
【請求項７】
前記水平偏向磁界及び前記垂直偏向磁界を共にほぼ斉一な磁界分布としてなる
ことを特徴とする請求項６記載の表示装置。
【請求項８】
赤，緑，青の各色に対応するビデオ信号の位相をずらして電子銃を駆動することにより、コンバージェンスを補正する補正手段を有する
ことを特徴とする請求項６記載の表示装置。
【請求項９】
前記偏向ヨークの中心軸方向において前記水平偏向コイルと前記垂直偏向コイルとを互いに分離した状態で配置してなる
ことを特徴とする請求項６記載の表示装置。
【請求項１０】
前記偏向ヨークの中心軸方向において前記第１の磁性体コアよりも偏向ヨークの後端側で、かつ、前記偏向ヨークの径方向において前記水平偏向コイルの外側に、前記垂直偏向コイルと前記第２の磁性体コアとを配置してなる
ことを特徴とする請求項６記載の表示装置。
【請求項１１】
前記水平偏向コイをサドル形に巻線し、かつ当該水平偏向コイルの後端部をストレート状に形成してなる
ことを特徴とする請求項１０記載の表示装置。
【発明の詳細な説明】
【０００１】
【発明の属する技術分野】
本発明は、電子ビームを偏向する偏向ヨークと、この偏向ヨークを陰極線管に搭載して構成される表示装置に関する。
【０００２】
【従来の技術】
カラー陰極線管においては、電子銃から出射される３本の電子ビームの進行方向を上下左右に偏向することにより、画面上にカラー画像を表示する。電子ビームの偏向には、水平偏向コイルと垂直偏向コイルを有する偏向ヨークが用いられる。偏向ヨークは陰極線管のネック部からファンネル部に至るコーン部に装着される。そして、電子銃から出射される３本の電子ビームの軌道上に水平偏向磁界と垂直偏向磁界を形成し、これらの偏向磁界によって電子ビームを上下左右に偏向する。
【０００３】
図９は従来の偏向ヨークの構成例を示すもので、（Ａ）はその側面図、（Ｂ）はその半断面図である。図９において、偏向ヨーク１には、水平偏向コイル２、垂直偏向コイル３、セパレータ４、磁性体コア５及びリングマグネット６等の部品が装備されている。水平偏向コイル２はセパレータ４の内側に巻装され、垂直偏向コイル３はセパレータ４の外側に巻装されている。
【０００４】
水平偏向コイル２は、サドル形に巻線されたもので、偏向ヨーク１の上下に対をなして配置される。垂直偏向コイル３は、サドル形に巻線されたもので、偏向ヨーク１の左右に対をなして配置される。そして、図示しない電子銃から出射される電子ビームの軌道上において、一対の水平偏向コイル２は電子ビームを左右（水平方向）に偏向する水平偏向磁界を形成し、一対の垂直偏向コイル３は電子ビームを上下（垂直方向）に偏向する垂直偏向磁界を発生する。このうち、水平偏向コイル２による水平偏向磁界は、電子ビームのスポットを画面の左端から右端まで水平に走査するために形成されるものである。また、垂直偏向コイル３による垂直偏向磁界は、電子ビームのスポットを画面の上端から下端まで垂直に走査するために形成されるものである。
【０００５】
セパレータ４は樹脂等の絶縁材料からなるもので、全体として筒形に形成されている。磁性体コア５はフェライト等の磁性材料（軟質磁性材料）からなるもので、偏向ヨーク１の中心軸（Ｚ軸）方向の一方を他方よりも大きな径で開口した筒形構造をなしている。この磁性体コア５は、水平偏向コイル２及び垂直偏向コイル３が発生する磁界の効力を高めるために、それらの偏向コイル２，３を覆うように装着されている。リングマグネット６は、電子銃の組み立て誤差等による電子ビームの軌道ずれを補正するために、偏向ヨーク１の後端側（電子銃側）に取り付けられている。
【０００６】
このような偏向ヨーク１を備えたカラー陰極線管においては、電子銃から出射される３本の電子ビームをアパーチャグリル等の色選別マスクを通して蛍光面の一点にコンバージェンス（集中）させ、これによって得られる電子ビームのスポット（ビームスポット）を、上記水平偏向磁界により水平に走査する一方、上記垂直偏向磁界により垂直に走査することにより、画面上に所望のカラー画像を再現する。このとき、３本の電子ビームが蛍光面の一点に集中しない、いわゆるミスコンバージェンスが発生すると、これが画面上での色ずれとなって現れる。
【０００７】
そこで、緑の蛍光体を発光させる電子ビームをセンタービームＧとし、青，赤の蛍光体を発光させる電子ビームをそれぞれサイドビームＢ，Ｒとするインライン形の電子銃を備えるカラー陰極線管では、水平偏向磁界をピンクッション形の磁界分布とする一方、垂直偏向磁界をバレル形の磁界分布とすることにより、画面全域で３本の電子ビームをコンバージェンスさせる「セルフコンバージェンス方式」を採用している。しかし、水平偏向磁界や垂直偏向磁界の磁界分布を歪ませると、この磁界中を通過する電子ビームのスポット形状に歪みが生じ、結果的にフォーカス特性が劣化してしまう。そこで、水平偏向磁界及び垂直偏向磁界をいずれもほぼ斉一な磁界分布としたものがある（例えば、特許文献１参照）。
【０００８】
【特許文献１】
特開２００２−９３３５４号公報（第２頁、第４図）
【０００９】
水平偏向磁界及び垂直偏向磁界をいずれもほぼ斉一な磁界分布とした場合は、電子ビームのスポット形状の歪みを解消し、フォーカス特性の劣化を回避することができる。ただし、画面上においては、図１０（Ａ）に示すように、サイドビームＲ，Ｂがセンタービーム（不図示）を中心にずれる「コンバージェンスのずれ」や、ラスターの形状がピンクッション形に歪む「ラスター歪み」を生じることになる。
【００１０】
コンバージェンスのずれを補正する技術としては、ＲＧＢの各色に対応する３つのカソードに、それぞれに対応する色のビデオ信号を入力する際に、各々のビデオ信号の位相を適宜ずらことにより、図１０（Ｂ）に示すように画面上でサイドビームＲ，Ｂのコンバージェンスを合わせる方法が知られている。
【００１１】
また、ラスター歪みを補正する技術としては、垂直偏向磁界の中心位置を偏向ヨークの後端側（電子銃側）にずらす手法が知られている。垂直偏向磁界の中心位置を偏向ヨークの後端側にずらすと、それにつれてラスター上下の凹み部分が小さくなる。そのため、水平偏向コイル２よりも偏向ヨークの後端側に垂直偏向コイル３を配置することにより、図１０（Ｃ）に示すように、ラスター歪みを解消（又は軽減）することができる。
【００１２】
【発明が解決しようとする課題】
しかしながら、上記従来の偏向ヨークにおいては、サドル形に巻かれた水平偏向コイル２の外側に嵌まり込む状態で垂直偏向コイル３が取り付けられ、さらにこの垂直偏向コイル３の外側に嵌まり込む状態で磁性体コア５が取り付けられた構成となっているため、水平偏向コイル２や磁性体コア５との位置的な干渉により、垂直偏向コイル３の取り付け位置を大きくずらすことが非常に困難であった。したがって、ラスター歪みを補正するにあたって、垂直偏向磁界の中心位置を偏向ヨークの後端側に十分にずらすことができない場合があった。
【００１３】
【課題を解決するための手段】
本発明に係る偏向ヨークは、電子ビームのスポットを画面の左端から右端まで水平に走査するための水平偏向磁界を形成する水平偏向コイルと、電子ビームのスポットを画面の上端から下端まで垂直に走査するための垂直偏向磁界を形成する垂直偏向コイルと、水平偏向コイルが内側に巻装されたセパレータと、偏向ヨークの径方向においてセパレータを介して水平偏向コイルと隣接した状態で設けられた第１の磁性体コアと、偏向ヨークの中心軸方向において第１の磁性体コアと分離した状態で偏向ヨークの後端側に配置されるとともに、偏向ヨークの径方向において垂直偏向コイルと隣接した状態で設けられた第２の磁性体コアとを備えた構成となっている。また、本発明に係る表示装置は、上記構成の偏向ヨークを陰極線管に搭載したものとなっている。
【００１４】
上記構成の偏向ヨーク及び表示装置においては、偏向ヨークの中心軸方向で第１の磁性体コアとは分離した状態で偏向ヨークの後端側に第２の磁性体コアを配置するとともに、偏向ヨークの径方向で垂直偏向コイルと隣接した状態で第２の磁性体コアを設けることにより、垂直偏向コイルによる垂直偏向磁界が、主に第２の磁性体コアを通る磁気経路をもって形成されるようになる。これにより、垂直偏向磁界の中心位置が第２の磁性体コアの位置に大きく依存したものとなる。
したがって、上述のように第２の磁性体コアを偏向ヨークの後端側に配置することにより、垂直偏向磁界の中心位置を偏向ヨークの後端側に大きくずらすことが可能となる。
【００１５】
【発明の実施の形態】
以下、本発明の実施の形態について図面を参照しつつ詳細に説明する。
【００１６】
図１は本発明が適用されるカラー陰極線管の全体像を示す概略斜視図である。
図１において、陰極線管１０の本体部（ガラスバルブ）は、パネル部１１、ファンネル部１２及びネック部１３により構成されている。パネル部１１の内面には、赤，緑，青の各色蛍光体を所定のパターンで配列した蛍光面（不図示）が形成されている。一方、ネック部１３には、電子ビームの出射源となるインライン形の電子銃（ガン）１４が内装されている。また、ネック部１３からファンネル部１２に至るコーン部には、電子ビームを偏向する偏向ヨーク１５が装着されている。偏向ヨーク１５は、そのヨーク中心軸が陰極線管１０の中心軸に一致するように取り付けられている。以降の説明では、偏向ヨーク１５の中心軸と陰極線管１０の中心軸を共にＺ軸と称する。
【００１７】
上記構成の陰極線管１０は、パネル部１１内面の蛍光面にカラー画像（又は白黒画像）を再現するのに必要な各種の付属部品とともに図示しない筐体に組み込まれ、これによってテレビジョン受像機やコンピュータ用ディスプレイ等の表示装置が構成される。かかる表示装置は、赤，緑，青の各色に対応するビデオ信号の位相をずらして電子銃１４を駆動することにより、コンバージェンスを補正する補正機能を備えたものとなっている。この補正機能は、電子銃１４が備える３つのカソードを駆動する際に供給（入力）される３色分のビデオ信号、すなわち赤，緑，青の各色に対応するビデオ信号のうち、任意の１色（例えば、緑色）のビデオ信号に対して他の２色（例えば、赤色と青色）のビデオ信号の位相をずらす（遅延させる）遅延回路を付加することにより実現される。ビデオ信号の位相をどの程度ずらすかは、画面上でのコンバージェンスのずれ量に応じて適宜制御する。このようなコンバージェンスの補正機能をもたせることにより、後述する水平偏向磁界及び垂直偏向磁界をいずれもほぼ斉一な磁界分布とした場合に生じるコンバージェンスのずれを補正することが可能となる。
【００１８】
続いて、本発明の実施形態に係る偏向ヨークの具体的な構成について説明する。なお、以下の説明では、偏向ヨークを構成する各々の構成要素のうち、機能的に同様の構成要素に同じ符号を付し、重複する説明は極力省略する。
【００１９】
図２は本発明の第１実施形態に係る偏向ヨークの構成例を示すもので、（Ａ）はその断面図、（Ｂ）はその組立斜視図、（Ｃ）はその一部断面図である。図示した偏向ヨークの構成においては、サドル形に巻かれた一対の水平偏向コイル２１と、同じくサドル形に巻かれた一対の垂直偏向コイル２２とが、偏向ヨークの中心軸となるＺ軸方向で互いに分離した状態に配置されている。すなわち、Ｚ軸上のＰ１−Ｐ１位置を境にして、一対の水平偏向コイル２１は偏向ヨークの前端側（蛍光面側）、一対の垂直偏向コイル２２は偏向ヨークの後端側（電子銃側）に配置されている。
【００２０】
水平偏向コイル２１は、偏向ヨークの上下に対をなして配置されるもので、セパレータ２３の内側に巻装されている。垂直偏向コイル２２は、偏向ヨークの左右に対をなして配置されるもので、セパレータ２３の外側に巻装されている。そして、図示しない電子銃から出射される電子ビームの軌道上において、一対の水平偏向コイル２１は電子ビームを左右（水平方向）に偏向する水平偏向磁界を形成し、一対の垂直偏向コイル２２は電子ビームを上下（垂直方向）に偏向する垂直偏向磁界を発生する。このうち、水平偏向コイル２１による水平偏向磁界は、電子ビームのスポットを画面の左端から右端まで水平に走査するために形成されるものである。また、垂直偏向コイル２２による垂直偏向磁界は、電子ビームのスポットを画面の上端から下端まで垂直に走査するために形成されるものである。これらの水平偏向磁界及び垂直偏向磁界をいずれもほぼ斉一な磁界分布とすれば、電子ビームのスポット形状に歪みを生じることがないため、良好なフォーカス特性を得ることができる。
【００２１】
セパレータ２３は樹脂等の絶縁材料からなるもので、全体的に円錐筒形状に形成されている。また、セパレータ２３には、サドル形の水平偏向コイル２１の前端側のベンド部（円周方向にコイル線材を渡らせた円弧状の渡り線部）と後端側のベンド部とを収容するためのフランジ部２３Ａ，２３Ｂが一体に形成されている。
【００２２】
また、一対の水平偏向コイル２１の外側には、これを覆う状態で第１の磁性体コア（例えば、フェライトコア）２４が取り付けられており、一対の垂直偏向コイル２２の外側には、これを覆う状態で第２の磁性体（例えば、フェライトコア）コア２５が取り付けられている。第１の磁性体コア２４と第２の磁性体コア２５とは、上述した水平偏向コイル２１や垂直偏向コイル２２と同様に、Ｚ軸方向で互いに分離した状態で配置されている。すなわち、第１の磁性体コア２４は図中Ｐ１−Ｐ１位置を境に偏向ヨークの前端側（蛍光面側）に配置され、第２の磁性体コア２５は図中Ｐ１−Ｐ１位置を境に偏向ヨークの後端側（電子銃側）に配置されている。また、第１の磁性体コア２４はセパレータ２３の外周面に沿うように取り付けられ、第２の磁性体コア２５は一対の垂直偏向コイル２２の外周面に沿うように取り付けられている。
【００２３】
さらに、第２の磁性体コア２５には、一対の突出部２５Ａが一体に形成されている。一対の突出部２５Ａは、サドル形に巻かれた一対の垂直偏向コイル２２の窓部（非巻線部）に嵌合する状態で配置されている。また、各々の突出部２５Ａは、Ｚ軸上で垂直軸（以下、Ｙ軸）と交差する水平軸（以下、Ｘ軸）上で互いに対向する状態に配置されている。このように第２の磁性体コア２５に突出部２５Ａを設けることにより、一対の垂直偏向コイル２５による垂直偏向磁界で電子ビームを偏向する際の偏向感度を上げることができる。
【００２４】
また、偏向ヨークの径方向（半径方向）において、第１の磁性体コア２４をセパレータ２３を介して水平偏向コイル２１と隣接した状態で設けることにより、第１の磁性体コア２４は主として水平偏向コイル２１が発生する水平偏向磁界の効力を高めるように機能する。同じく、偏向ヨークの径方向において、第２の磁性体コア２５を垂直偏向コイル２２と隣接した状態で設けることにより、第２の磁性体コア２５は主として垂直偏向コイル２２が発生する磁界の効力を高めるように機能する。これにより、水平偏向コイル２１による水平偏向磁界は、主に第１の磁性体コア２４を通る磁気経路をもって形成され、垂直偏向コイル２２による垂直偏向磁界は、共に第２の磁性体コア２５を通る磁気経路をもって形成される。これにより、水平偏向磁界の中心位置は第１の磁性体コア２４の位置に大きく依存し、垂直偏向磁界の中心位置は第２の磁性体コア２５の位置に大きく依存したものとなる。
【００２５】
したがって、この第１実施形態に係る偏向ヨークのように、垂直偏向コイル２２用の第２の磁性体コア２５を、Ｚ軸方向で水平偏向コイル２１用の第１の磁性体コア２４と分離した状態で偏向ヨークの後端側に配置することにより、垂直偏向コイル２２が形成する垂直偏向磁界の中心位置を偏向ヨークの後端側（電子銃側）に大きくずらすことができる。これにより、水平偏向磁界の中心位置に対して垂直偏向磁界の中心位置を偏向ヨークの後端側に大きく後退させることができる。したがって、水平偏向磁界と垂直偏向磁界を共にほぼ斉一な磁界分布とした場合に発生するラスター歪みを適切かつ十分に補正することが可能となる。
【００２６】
図３は本発明の第１実施形態に係る偏向ヨークの他の構成例を示すもので、（Ａ）はその組立斜視図、（Ｂ）はその分解斜視図である。図示した偏向ヨークにおいては、水平偏向コイル２１の巻線形態がサドル形になっているのに対し、垂直偏向コイル２２の巻線形態がトロイダル形になっている。また、第１の磁性体コア２４は、断面半円形のコア半体を組み合わせて円筒状に一体化されるもので、この点は上記図２に示す偏向ヨークの場合も同様である。一方、第２の磁性体コア２５は、断面半円形のコア半体を組み合わせて円筒状に一体化されるもので、各々のコア半体に垂直偏向コイル２５がトロイダル形に巻線されている。この場合、垂直偏向コイル２２は、サドル形の水平偏向コイル２１と同様に、偏向ヨークの上下に対をなして配置される。
【００２７】
図４は本発明の第２実施形態に係る偏向ヨークの構成例を示すもので、（Ａ）はその断面図、（Ｂ）はその組立斜視図である。また、図５は本発明の第２実施形態に係る偏向ヨークの構成例を示す分解斜視図である。図示した偏向ヨークの構成においては、サドル形に巻かれた一対の水平偏向コイル２１の外側に、同じくサドル形に巻かれた一対の垂直偏向コイル２２が配置されている。水平偏向コイル２１は、偏向ヨークの上下に対をなして配置されるもので、セパレータ２３の内側に巻装されている。垂直偏向コイル２２は、偏向ヨークの左右に対をなして配置されるもので、セパレータ２３の外側に巻装されている。
【００２８】
また、一対の水平偏向コイル２１の外側には、これを覆う状態で第１の磁性体コア２４が取り付けられており、一対の垂直偏向コイル２２の外側には、これを覆う状態で第２の磁性体コア２５が取り付けられている。第１の磁性体コア２４と第２の磁性体コア２５とは、Ｚ軸方向で互いに分離した状態で配置されている。すなわち、第１の磁性体コア２４は図中Ｐ２−Ｐ２位置を境に偏向ヨークの前端側（蛍光面側）に配置され、第２の磁性体コア２５は図中Ｐ２−Ｐ２位置を境に偏向ヨークの後端側（電子銃側）に配置されている。また、第１の磁性体コア２４はセパレータ２３の外周面に沿うように取り付けられ、第２の磁性体コア２５は一対の垂直偏向コイル２２の外周面に沿うように取り付けられている。
【００２９】
さらに、偏向ヨークの径方向（半径方向）において、第１の磁性体コア２４はセパレータ２３を介して水平偏向コイル２１と隣接した状態で設けられ、第２の磁性体コア２５は垂直偏向コイル２２と隣接した状態で設けられている。また、水平偏向コイル２１の外側では、第１の磁性体コア２４がＺ軸方向で図中Ｐ２−Ｐ２位置よりも偏向ヨークの前端側に配置され、垂直偏向コイル２２と第２の磁性体コア２５は、Ｚ軸方向で図中Ｐ２−Ｐ２位置よりも偏向ヨークの後端側に配置されている。
【００３０】
このように第２実施形態に係る偏向ヨークにおいても、上記第１実施形態と同様の理由により、水平偏向磁界の中心位置が第１の磁性体コア２４の位置に大きく依存し、垂直偏向磁界の中心位置は第２の磁性体コア２５の位置に大きく依存したものとなる。そのため、垂直偏向コイル２２用の第２の磁性体コア２５を、Ｚ軸方向で水平偏向コイル２１用の第１の磁性体コア２４と分離した状態で偏向ヨークの後端側に配置することにより、垂直偏向コイル２２が形成する垂直偏向磁界の中心位置を偏向ヨークの後端側（電子銃側）に大きくずらすことができる。これにより、水平偏向磁界の中心位置に対して垂直偏向磁界の中心位置を偏向ヨークの後端側に大きく後退させることができるため、水平偏向磁界と垂直偏向磁界を共にほぼ斉一な磁界分布とした場合に発生するラスター歪みを適切かつ十分に補正することが可能となる。
【００３１】
図６は本発明の第２実施形態に係る偏向ヨークの他の構成例を示す組立斜視図である。図示した偏向ヨークは、垂直偏向コイル２２の巻線形態がトロイダル形になっている点が異なり、それ以外の構成は上記図４及び図５に示すものと同様である。
【００３２】
図７は本発明の第３実施形態に係る偏向ヨークの構成例を示す断面図である。
図示した偏向ヨークは、上記第２実施形態に係る偏向ヨークの構成と比較して、サドル形の水平偏向コイル２１の後端部がベンドレス構造となっている点が異なる。すなわち、水平偏向コイル２１の後端部は、径方向に突出することなく、ストレート状に形成されおり、このストレート部分の外側に図示しないセパレータを介して垂直偏向コイル２２と第２の磁性体コア２５とが配置されている。
【００３３】
この第３実施形態に係る偏向ヨークにおいても、上記第１実施形態と同様の理由により、水平偏向磁界の中心位置が第１の磁性体コア２４の位置に大きく依存し、垂直偏向磁界の中心位置は第２の磁性体コア２５の位置に大きく依存したものとなる。そのため、垂直偏向コイル２２用の第２の磁性体コア２５を、Ｚ軸方向で水平偏向コイル２１用の第１の磁性体コア２４と分離した状態で偏向ヨークの後端側に配置することにより、垂直偏向コイル２２が形成する垂直偏向磁界の中心位置を偏向ヨークの後端側（電子銃側）に大きくずらすことができる。これにより、水平偏向磁界の中心位置に対して垂直偏向磁界の中心位置を偏向ヨークの後端側に大きく後退させることができるため、水平偏向磁界と垂直偏向磁界を共にほぼ斉一な磁界分布とした場合に発生するラスター歪みを適切かつ十分に補正することが可能となる。
【００３４】
図８は本発明の第３実施形態に係る偏向ヨークの他の構成例を示すもので、（Ａ）はその組立斜視図、（Ｂ）はその分解斜視図である。図示した偏向ヨークは、垂直偏向コイル２２の巻線形態がトロイダル形になっている点が異なり、それ以外の構成は上記図７に示すものと同様である。
【００３５】
【発明の効果】
以上説明したように本発明によれば、垂直偏向コイルが形成する垂直偏向磁界の中心位置を偏向ヨークの後端側に大きくずらすことができるため、水平偏向磁界と垂直偏向磁界を共にほぼ斉一な磁界分布とした場合に発生するラスター歪みを適切かつ十分に補正し、良好な画像表示を実現することができる。
【図面の簡単な説明】
【図１】本発明が適用されるカラー陰極線管の全体像を示す概略斜視図である。
【図２】本発明の第１実施形態に係る偏向ヨークの構成例を示すもので、（Ａ）はその断面図、（Ｂ）はその組立斜視図、（Ｃ）はその一部断面図である。
【図３】本発明の第１実施形態に係る偏向ヨークの他の構成例を示すもので、（Ａ）はその組立斜視図、（Ｂ）はその分解斜視図である。
【図４】本発明の第２実施形態に係る偏向ヨークの構成例を示すもので、（Ａ）はその断面図、（Ｂ）はその組立斜視図である。
【図５】本発明の第２実施形態に係る偏向ヨークの構成例を示す分解斜視図である。
【図６】本発明の第２実施形態に係る偏向ヨークの他の構成例を示す組立斜視図である。
【図７】本発明の第３実施形態に係る偏向ヨークの構成例を示す断面図である。
【図８】本発明の第３実施形態に係る偏向ヨークの他の構成例を示すもので、（Ａ）はその組立斜視図、（Ｂ）はその分解斜視図である。
【図９】従来の偏向ヨークの構成例を示すもので、（Ａ）はその側面図、（Ｂ）はその半断面図である。
【図１０】画面上でのラスター状態を示す図である。
【符号の説明】
１５…偏向ヨーク、２１…水平偏向コイル、２２…垂直偏向コイル、２３…セパレータ、２４…第１の磁性体コア、２５…第２の磁性体コア
【図１】
2004103311.tif 000003
【図２】
2004103311.tif 000004
【図３】
2004103311.tif 000005
【図４】
2004103311.tif 000006
【図５】
2004103311.tif 000007
【図６】
2004103311.tif 000008
【図７】
2004103311.tif 000009
【図８】
2004103311.tif 000010
【図９】
2004103311.tif 000011
【図１０】
2004103311.tif 000012